(57)【要約】【課題】  肢体の不自由な入浴者が車椅子の座席に座ったままの状態でも容易に浴槽内への入浴が行えるようにする。【解決手段】  キャスターによって移動可能としたキャリーカート３と、キャリーカート３に装着するシート４とを備え、シート４をキャリーカート３から離脱可能としたシート固定手段３１と、シート固定手段３１によるキャリーカート３からの離脱前の状態で、浴槽Ｐの近傍に設置した入浴を補助するリフタ装置１１の昇降・旋回移動可能な支持ステー１２に対しシート４が装脱可能となるよう当該シート４の背凭れ部の背面側に設けたバックル固定式のクランプ手段２１とを備えて成るものとする。【選択図】      図１
2005288106.tif 000002
【特許請求の範囲】
【請求項１】
浴槽の近傍に設置され、略上下方向に伸延し、下端近傍に給排水口を備えたシリンダ、該シリンダ内に配置され、水圧により昇降動するピストン、及び、該ピストンに結合された一端とシリンダの外部に延出した他端とを有するピストンロッドを含むピストン・シリンダ装置と、前記ピストンロッドの他端に連結され、前記シリンダの外部において被介護者の着座用シートを支持するステーと、該ステーに着脱自在な被介護者の着座用シートとから成ることを特徴とする入浴介護用昇降装置。
【請求項２】
前記ステーは、前記ピストンロッドを軸として回動自在に構成した請求項１記載の入浴介護用昇降装置。
【請求項３】
前記ステーは、垂直に伸延する部分を有し、前記シートは該ステーの垂直伸延部分を軸として旋回可能に取り付けられる請求項１または２記載の入浴介護用昇降装置。
【請求項４】
前記シリンダは、垂直に起立した状態で浴室の床面上に固定される請求項１乃至３のいずれかに記載の入浴介護用昇降装置。
【請求項５】
前記シリンダは、下方に延出する延出部を有し、該延出部を浴室の床面に形成した穴に差込むことにより、シリンダを床面に設置した請求項１乃至３のいずれかに記載の入浴介護用昇降装置。
【請求項６】
前記シリンダは、その側面から下方に向けて突設したアームを介して、該シリンダの下端が浴槽上にくるように傾斜させた状態で、浴室の床面上に配置される請求項１に記載の入浴介護用昇降装置。
【請求項７】
前記シートは、キャリーカートに着脱自在に構成されている請求項１に記載の入浴介護用昇降装置。
【発明の詳細な説明】
【技術分野】
【０００１】  本発明は、主として病院・介護センター・温泉・ホテル等での業務用として使用され、更には家庭において介護ヘルパーもしくは家族等の介護補助によって使用されるもので、被介護者が椅子に座ったままの状態で浴室内の移動と浴槽内への入浴を可能にした入浴介護用昇降装置に関する。
【背景技術】
【０００２】  従来、入浴介護用としてハンモック式の昇降装置が使用されている。これは、脱衣所で車椅子に座っている被介護者を介護ヘルパー等によって当該車椅子から持ち上げ、浴槽近くに設置されている装置の傍まで運び、装置専用の椅子に乗せ替えた後に、この椅子を旋回および昇降可能なアーム装置に取り付けて吊り下げ、椅子に座ったままの状態で浴槽内への入浴を可能にしたものである（特許文献１、２参照）。
【特許文献１】  特開２００１−３３３９５６号公報
【特許文献２】  特開２００２−１１３０６５号公報
【発明の開示】
【発明が解決しようとする課題】
【０００３】  ハンモック式の入浴介護装置は、これ自体が医療器具であるため、医療規制の厳しい制限が課されており、家族等の資格のないものでは全く使用できない。また、被介護者を介護ヘルパー等によって車椅子が置かれた脱衣所から装置が設置された浴槽近傍まで運んで装置専用の椅子に座らせ、被介護者を乗せた椅子をハンモック式に吊り下げ、不安定な状態で水平移動、向きの変更、浴槽上方と浴槽内間の昇降作業等を行うため、介護者、被介護者ともに精神的肉体的に大きな負担を強いられる。特に、特開２００１−３３３９５６号公報のように、吊り下げられた椅子の水平移動や昇降動を手動で行う装置の場合には、介護者が１人でこうした一連の作業をこなすにはかなりの労力が必要となる。また、特開２００２−１１３０６５号公報に示される、吊り下げられた椅子の水平移動や昇降動を電動モータで行う装置の場合には、使用する場所が湯水を扱う浴室であるだけに、コンセント等の電気接続箇所での接続不良、電気コードの劣化等を原因とする感電や漏電の危険が心配される。【０００４】  そこで本発明は叙上のような従来存した諸事情に鑑み創出されたもので、被介護者が椅子に座ったまま浴槽近くまで浴室内を移動でき、安定した姿勢を保ちつつ水平移動、向きの変更や、浴槽内への入浴を行うことができ、しかも人力に代わる動力を利用しながら、感電や漏電の危険がない安全な入浴介護装置を提供することを目的とする。
【課題を解決するための手段】
【０００５】  本発明にあっては、浴槽の近傍に設置され、略上下方向に伸延し、下端近傍に給排水口を備えたシリンダ、該シリンダ内に配置され、水圧により昇降動するピストン、及び、該ピストンに結合された一端とシリンダの外部に延出した他端とを有するピストンロッドを含むピストン・シリンダ装置と、前記ピストンロッドの他端に連結され、前記シリンダの外部において被介護者の着座用シートを支持するステーと、該ステーに着脱自在な被介護者の着座用シートとから成ることを特徴とする入浴介護用昇降装置を提供することによって、上述した課題を解決したものである。
ステーをピストンロッドを軸として回動自在に構成したことで、同じく上述した課題を解決した。
ステーは垂直に伸延する部分を有し、シートを該ステーの垂直伸延部分を軸として回動可能に取り付けたことで、同じく上述した課題を解決した。
シリンダを垂直に起立した状態で浴室の床面上に固定したことで、同じく上述した課題を解決した。
シリンダは、下方に延出する延出部を有し、該延出部を浴室の床面に形成した穴に差込むことにより、シリンダを床面に設置したことで、同じく上述した課題を解決した。
また、シリンダを、その側面から下方に向けて突設したアームを介して、該シリンダの下端が浴槽上にくるように傾斜させた状態で、浴室の床面上に配置したことによって、同じく上述した課題を解決した。
更に、シートをキャリーカートに着脱自在に構成したことによって、同じく上述した課題を解決した。【０００６】  以上のように構成された本発明に係る入浴介護装置にあって、浴槽が床面より高い周壁を有する場合には、シリンダからピストンロッドが上方に伸延するように取り付けられたピストン・シリンダ装置を用いる。ピストンロッドの上端に結合されたステーに取り付けられたシートに被介護者を座らせた後、給排水口から水をシリンダ内に供給し、シリンダ内のピストンを上昇させるとともに、ピストンロッドに結合されたステーをシートに被介護者を着座させたまま浴槽の周壁を超えられる高さまで上昇させる。次いで、ステーをピストンロッドを軸として回動させ、シートを浴槽の上方に位置させた後、給排水口からシリンダ内の水を排出して、ピストンの下降とともにステーを下降させ、被介護者をシートに着座させたままで浴槽内に入れる。被介護者を浴槽から出すときも、ステーの回動方向を逆にすることを除いて同様の操作を行う。【０００７】  また、浴槽が床面から低い位置に形成されている場合には、シリンダを、その側面から下方に向けて突設したアームを介して、該シリンダの下端が浴槽上にくるように傾斜させた状態で、浴室の床面上に配置し、シリンダ内からピストンロッドが下方に伸延するように取り付けられたピストン・シリンダ装置を用いる。使用の際には、予めシリンダ内に水を供給してピストンをシリンダ内の上部に位置させ、ピストンロッドの下端に結合されたステーに取り付けられたシートが床面上に位置するように持ち上げておく。シートに被介護者を座らせ、下端が床面に支持されているアームの基部を中心として回動させてシートを浴槽の上方に移動させる。給排水口からシリンダ内の水を排出して、ピストンの下降とともにステーを下降させ、被介護者をシートに着座させたままで浴槽内に入れる。被介護者を浴槽から出すときは、再びシリンダ内に水道水を供給してシートを浴槽の上方に持ち上げた後、アームの基部を中心として先程とは逆方向に回動させて、シートを床面上に移動させる。
【発明の効果】
【０００８】  本発明は以上のように構成されているために、被介護者は、ピストン・シリンダ装置のピストンロッドに結合されたステーに安定した状態で保持されたシートに座ったまま浴槽内に入ることができる。
しかも、シートの浴槽上方と浴槽内間の昇降動を人力に代わる動力を利用して楽に行うことができる。また、動力として水圧を利用しているため、電力を利用したときのような感電や漏電などの危険がなく、被介護者の入浴作業を安全に行なうことができる。【０００９】  ステーはピストンロッドを軸として回動自在に構成されているため、シートを浴室の洗い場と浴槽の上方との間で容易に水平移動させることができる。【００１０】  ステーは垂直に伸延する部分を有し、シートを該ステーの垂直伸延部分を軸として回動可能に取り付けられているため、安定した姿勢を保ちながらシートの向きの微妙な変更を容易に行うことができる。【００１１】  シリンダは垂直に起立した状態で浴室の床面上に固定されているため、シートは安定した姿勢を保ちながら洗い場と浴槽の上方との間での水平移動させることができる。【００１２】  シリンダは下方に延出する延出部を有し、該延出部を浴室の床面に形成した穴に差込むことにより、シリンダを床面に設置する構成にあっては、本昇降装置を必要に応じて着脱自在とすることができる。【００１３】  浴槽が床面から低い位置に形成されている場合には、その側面から下方に向けて突設したアームを介して、該シリンダの下端が浴槽上にくるように傾斜させた状態で、浴室の床面上に配置することにより、そうした場合に最適な本発明に係る昇降装置を得ることができる。【００１４】シートをキャリーカートに着脱自在に構成したことで、被介護者をシートに座ったままの状態で浴室内での移動から入浴までの一連の動作を楽に行うことができる。
させることができる。
【発明を実施するための最良の形態】
【００１５】  以下、本発明を実施するために最良の形態を図面を参照して説明する。被介護者である肢体の不自由な入浴者がシートに着座したままの状態で浴槽Ｐ内への入浴を可能にした入浴介護用昇降装置１は、図１及び図２に示すように、主として、浴槽Ｐの近傍に設置され、被介護者の着座用シート４を昇降・回動可能に支持するステー１２を備えたリフタ装置１１から構成されている。シート４は、例えば、熱硬化性プラスチックであるＦＲＰ樹脂によって形成されている。【００１６】  このリフタ装置１１は、入浴者が着座しているシート４を、支持ステー１２を介して昇降動させるための水圧式ピストンシリンダー機構による昇降手段と、浴室の洗い場と浴槽Ｐ間でシート４を支持ステー１２を介して回動可能とした回動手段とを備えて成る。このリフタ装置１１としては、浴室の床面上に浴槽を設置したバスタブ式浴槽タイプ（図１参照）のものと、浴室の床面よりも浴槽を低く掘り下げて形成した掘り下げ式浴槽タイプ（図２参照）のものとがある。【００１７】    バスタブ式浴槽タイプのものは、図１に示すように、浴室のバスタブ式浴槽Ｐ近傍の床面に挿入穴１６を形成し、前記昇降手段と回動手段とを備えた水圧式ピストンシリンダー機構１３の給排バルブ１４を接続してあるシリンダ１７下端の取付部１５を挿入穴１６に落とし込んで回転可能な状態に設置されている。給排バルブ１４を開いてシリンダ１７内に水を導入することでピストンロッド１８を揚上させることができる。ピストンロッド１８の上端には、エンドキャップ１９ａを介して円筒状の摺動体１９がシリンダ１７に被さるように配置され、この摺動体１９の上端側側面に略Ｌ字形状のステー１２が突設されている。このステー１２によって、シート４をいったん床面上で持ち上げた後、ピストンロッド１８を中心軸として回動させて、シート４を浴槽Ｐ上方まで移動させてから、シリンダ１７内の水を排出させてピストンロッド１８をステー１２と共に降下させることで浴槽Ｐ内にシート４を降下させる。尚、ステー１２の下端には、浴槽Ｐ内底部に当接する高さを任意に変更できるようにレベルアジャスターが付設されている。また、摺動体１９を介さずにピストンロッド上端に直接に支持ステー１２を突設形成しても良い。【００１８】  一方、掘り下げ式浴槽タイプのものは、図２に示すように、浴室の掘り下げ式浴槽Ｐ近傍の床面に挿入穴１６‘を形成し、前記昇降手段と回動手段とを備えた水圧式ピストンシリンダー機構１３のピストンロッドが内挿され、且つ水圧バルブ１４が接続してあるシリンダ１７’の側面から略Ｌ字形状のアーム１５‘を突設し、これを挿入穴１６に取外し可能に挿入することにより回転可能な状態で設置されている。そして、ピストンロッド１８’下端側に略Ｌ字形状に突出形成されたステー１２に固定されているシート４を、ピストンロッド１８の下方延出部１８ａ‘を中心軸として浴槽Ｐ上方位置まで回転移動させてから、水圧バルブ１４を閉じて排水口よりシリンダ１７’内の水を排出し、ピストンロッド１８をシリンダ下側からステー１２と共に降下させることで浴槽Ｐ内にシート４を降下させる。【００１９】  図１におけるシリンダ１７の下端及び図２におけるシリンダ１７’の側面に突設されたアーム１５‘の下端は、浴室のバスタブ式浴槽Ｐ近傍の床面に直接固定された構成としてもよい。図３は、シリンダの下端をベースプレート１５１を介してアンカーボルト１５２により固着した例を示す。【００２０】  また、具体的なリフタ装置１１の仕様としては、ピストンシリンダ機構１３の高さが約１００ｃｍ、上下動ストローク（揚程）範囲が約５０〜７０ｃｍ、左右回転角度範囲が３６０度、水圧が家庭用水道圧平均の約１〜２気圧、揚高荷重が約９０〜１００ｋｇ等であり、特に揚程手段として水道水圧式ピストンシリンダー機構を採用したことが本発明の特徴の一部を示唆するものである。【００２１】  車椅子本体２には、図４、図５に示すように、シート４をキャリーカート３から離脱可能とするためのシート固定手段３２−３５と、シート固定手段３２−３５によるキャリーカート３からのシート４の離脱前の状態、すなわちシート４をキャリーカート３に装着した状態でもって、リフタ装置１１の昇降・旋回移動可能な支持ステー１２の垂直部分に対しシート４が装脱可能となるようするために当該シート４の背凭れ部の背面側の少なくとも上下二箇所にはバックル固定式のクランプ手段２１が装備されている。【００２２】  キャリーカート３にはシート４の座高が高くなるようにして固定できるハイタイプと、シート４の座高が低くなるようにして固定できるロータイプとがある。【００２３】  具体的なハイタイプのキャリーカート３の構成としては、図４に示すように、台車３ｃの左右縁側から上方に向けて湾曲状に起立させた例えば長さ約２１ｃｍ程度の縦枠部３ｂと、縦枠部から台車に沿って湾曲させた横枠部３ａとを備え、この横枠部に対してシート固定手段３１によりシート４の座面支持パイプ４ａを装着固定するものとしてある。【００２４】  また、ロータイプのキャリーカート３の構成としては、図５に示すように、台車３ｃ‘の左右縁側から当該台車と略平行となるように湾曲突設させた横枠部３ａ’を備え、この横枠部に対してシート固定手段３２−３５によりシート４の座面支持パイプ４ａを装着固定するものとしてある。尚、符号３１は、フットレストである。【００２５】  クランプ手段２１は、図６と図７に示すように、シート４の背凭れ部の背面側の上下一対の横リブ２４から縦方向に突設した縦リブ２５に固定された基部２２Ａと、該基部に対して枢動可能に結合された一対の把持部２２Ｂ，２２Ｂとから構成され、把持部２２Ｂ，２２Ｂは蝶ネジ２３により開度調整が行えるようになっている。この把持部２２の内周面側にはリフタ装置１１のステー１２に対して任意の力で回転可能な摩擦抵抗力を付与させるための摩擦材、例えばナイロンブッシュが貼着されている。これによって、シート４の回転が、リフタ装置１１の旋回可能な支持ステー１２と、支持ステー１２に対するシート４自体の回転との二軸回転構造としてある。【００２６】  シート４をキャリーカート３に固定する手段３２−３５は、図８に示すように、シート４の座面支持パイプ４ａの左右対称位置からそれぞれ垂下突設した固定ピン３３挿入用の嵌合孔を有する舌片状の一対の係合片３２と、左右の係合片３２を、貫挿横孔が穿設されて成るキャリーカート３の左右フレームの側���に、当該貫挿横孔と係合片３２の嵌合孔とを合致させた状態でそれぞれ係合させると共に、一端側で両孔を貫通させ、他端側で左右フレームの下側に係止されるよう略Ｒ型状の固定ピン３３を装着可能として成る。また、シート固定手段３２−３５には、シート４座面支持パイプ４ａの係合片３２に対して前後位置にそれぞれ垂下突設したガイド用ピン３４を挿通させるよう左右フレーム上側の前後位置にそれぞれ穿設した縦孔部３５とから成るシート４位置決め用のガイド手段を備えている。【００２７】  次に、以上のように構成された最良の形態についての使用、動作の一例を説明するに、図２に示すように、先ず、浴室内の脱衣室において脱衣後、室内専用の車椅子から本発明の入浴介護装置における車椅子本体２に乗り換える。また、予めリフタ装置１１を浴室内に設置しておき、車椅子本体２を浴室内のリフタ装置１１位置まで移動させ、クランプ手段２１の両把持片部２２Ｂ，２２Ｂ内にリフタ装置１１の昇降・旋回移動可能な支持ステー１２を挿入して把持する。こうすることでキャリーカート３に装着されているシート４座面に入浴者が座ったままの状態で、リフタ装置１１に対しシート４の背凭れ部が装着される。このリフタ装置１１に対しシート４の背凭れ部が装着されている状態のままで、シート固定手段３２−３５における固定ピン３３を取り外してからキャリーカート３だけをシート４から離脱させる。【００２８】  次に、リフタ装置１１により入浴者が座ったシート４を支持ステー１２を介して昇降移動させると共に、浴室の洗い場と浴槽Ｐ間でシート４を支持ステー１２を介して回動させる。すなわち入浴に際し、バスタブ式浴槽タイプの場合、図１に示すように、水圧バルブ１４を開いてピストンシリンダ機構１３内に水を導入することでピストンロッドを加圧揚上させ、上端側の支持ステー１２によってシート４をいったん持ち上げた後にピストンシリンダ機構１３を回転軸として浴槽Ｐ上方位置までシート４を回転移動させ、ピストンシリンダ機構１３内の水を排出させてピストンロッドを支持ステー１２と共に降下させ、これにより浴槽Ｐ内にシート４を降下させる。【００２９】  また、脱浴に際し、水圧バルブ１４を開いてピストンシリンダ機構１３内に水道水を導入することでピストンロッドを揚上させ、上端側の支持ステー１２によってシート４をいったん持ち上げる。このとき、入浴者自体によるシート４に掛かる重量に対して、入浴者自身の浮力が伴うために、揚程に要する水圧は約半分に低減される。そして、ピストンシリンダ機構１３を回転軸としてバスタブ上方位置から洗い場位置までシート４を回転移動させてから、ピストンシリンダ機構１３内の水道水を排出させてピストンロッドを支持ステー１２と共に降下させ、これによりバスタブ外の洗い場にシート４を下す。【００３０】  一方、掘り下げ式浴槽タイプの場合、図２に示すように、ピストンロッド下端側の支持ステー１２に固定されているシート４を、ピストンシリンダ機構１３を回転軸として浴槽Ｐ上方位置まで回転移動させておき、水圧バルブ１４を閉じて排水口よりピストンシリンダ機構１３内の水を排出することでピストンロッドをシリンダー下側から支持ステー１２と共に降下させ、浴槽Ｐ内��シート４を降下させる。
【図面の簡単な説明】
【００３１】
【図１】  本発明を実施するための最良の形態における使用状態の一部切欠断面図である。
【図２】  本発明を実施するための他の最良の形態における使用状態の一部切欠断面図である。
【図３】  ピストンシリンダ機構の床面への取り付け手段の別例を示す一部拡大断面図である。
【図４】  車椅子本体のキャリーカートとシートとの組み合わせを説明する側面図である。
【図５】  車椅子本体のキャリーカートとシートとの組み合わせの別例を説明する側面図である。
【図６】  シートの詳細を示す斜視図である。
【図７】  クランプ手段の一例を示す平面図である。
【図８】  シート固定手段の一例を示す断面図である。
【符号の説明】
【００３２】  Ｐ…浴槽
２…車椅子本体                          ３…キャリーカート
４…シート                            １１…リフタ装置
１２…シート支持ステー                  １３…ピストンシリンダ機構
１４…水圧バルブ                        １５…取付部
１５‘…アーム                          １６…挿入穴
１７…シリンダ                          １８…ピストンロッド
１９…摺動体
２１…クランプ手段                      ２２Ａ…クランプ基部
２２Ｂ…把持部                          ２３…蝶ネジ
２４…横リブ                            ２５…縦リブ
２６…ブラケット                        ２７…支持パイプ
２７ａ…長孔                            ２８…アームレスト
２９…抜け止めピン                      ３２…係合片
３３…固定ピン                          ３４…ガイドピン
３５…縦孔部
【図１】
2005288106.tif 000003
【図２】
2005288106.tif 000004
【図３】
2005288106.tif 000005
【図４】
2005288106.tif 000006
【図５】
2005288106.tif 000007
【図６】
2005288106.tif 000008
【図７】
2005288106.tif 000009
【図８】
2005288106.tif 000010